(57)【要約】【課題】ＷｉＭＡＸシステムにおいて、マルチキャストコンテンツを、配信を希望する地域に配信することができるようにする。【解決手段】ＷｉＭＡＸシステムにおいて、配信コントローラを備え、配信コントローラには、ＢＳ情報データベースと地域情報データベースを備え、ＢＳ情報データベースには、オフラインにＢＳ設置場所の緯度・経度情報とＢＳ識別情報を蓄え、配信希望地域に設置されたＢＳを特定する手段を具備し、配信希望地域のＢＳ情報を地域情報データベースとして蓄え、マルチキャスト配信の接続の際、地域情報データベースで特定されたＢＳにのみ接続することによって特定地域に限定したマルチキャストデータを配信できるシステムを提供する。【選択図】図１
2010246062.tif 000002
【特許請求の範囲】
【請求項１】
複数の基地局と、前記複数の基地局が接続可能な基地局として登録され該複数の無線基地局の管理を行う通信装置と、マルチキャストコンテンツが格納されたマルチキャストサーバと、該マルチキャストサーバに格納されたマルチキャストコンテンツの配信制御を行う配信コントローラと、前記各装置の制御および障害処理を行うオペレーションセンタを有するマルチキャストシステムであって、
前記配信コントローラは、基地局情報データベースと、地域情報データベースと、マルチキャストコンテンツ情報テーブルを有し、
あらかじめ、前記基地局情報データベースに前記通信装置に登録されている基地局の位置情報を、前記地域情報データベースに前記基地局の位置情報に基づいて地域と該地域に位置する基地局を対応付けて格納しておき、
前記マルチキャストコンテンツ情報テーブルは、マルチキャストコンテンツ毎に、配信時間情報とともに配信地域情報を含むものであり、
前記配信コントローラは、前記コンテンツ情報テーブルのマルチキャストコンテンツの配信時刻情報と配信地域情報に基づき、さらに前記地域情報データベースを参照することで、前記時刻に前記地域に位置する基地局に、前記マルチキャストコンテンツを配信するように制御することを特徴とするマルチキャストシステム。
【請求項２】
請求項１に記載のマルチキャストシステムであって、
前記基地局は、緯度・経度を取得するＧＰＳ受信部と、取得した緯度・経度をオペレーションセンタに送信する手段を備え、
前記配信コントローラから、前記オペレーションセンタは、前記複数の基地局緯度・経度情報がオペレーションセンタに送信されてきたタイミングで、該緯度・経度情報を前記配信コントローラに送信することを特徴とするマルチキャストシステム。
【請求項３】
請求項１に記載のマルチキャストシステムであって、
前記基地局は、緯度・経度を取得するＧＰＳ受信部と、取得した緯度・経度をオペレーションセンタに送信する手段を備え、
前記配信コントローラが、前記オペレーションセンタ経由で前記複数の基地局に情報取得要求を送信し、該情報取得要求を契機に、前記複数の基地局が前記ＧＰＳ部により緯度・経度を取得して、前記オペレーションセンタ経由で前記配信コントローラに送信することを特徴とするマルチキャストシステム。
【請求項４】
請求項１に記載のマルチキャストシステムであって、
前記基地局は、緯度・経度を取得するＧＰＳ受信部と、取得した緯度・経度をオペレーションセンタに送信する手段を備え、
前記基地局は、基地局が新規に設置、移転、運用停止後の運用再開のタイミングで前記ＧＰＳ部により緯度・経度を取得し、前記オペレーションセンタ経由で前記配信コントローラに前記基地局の緯度・経度を送信することを特徴とするマルチキャストシステム。
【請求項５】
請求項１に記載のマルチキャストシステムであって、
前記基地局は、緯度・経度を取得するＧＰＳ受信部と、高度を取得する手段と、取得した緯度・経度をオペレーションセンタに送信する手段を備え、
前記基地局情報データベースには、前記通信装置に登録されている基地局の位置情報として、緯度、経度に加え、高度の情報も格納され、前記地域情報データベースには、前記基地局の緯度、経度に加え、高度の情報に基づいて地域と該地域に位置する基地局を対応付けて格納してあることを特徴とするマルチキャストシステム。
【発明の詳細な説明】
【技術分野】
【０００１】
本発明は、移動体パケット通信システムにおけるマルチキャストデータ配信技術に関し、特にワイマックス（ＷｉＭＡＸ：Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）システムにおけるマルチキャストに適したデータ配信技術に関する。
【背景技術】
【０００２】
移動体パケット通信システムにおいて、マルチキャストサービスは、少ない無線帯域の使用で多数の移動端末に情報を配信することができることから、無線資源の節約に効果的であるとして注目されている。マルチキャストサービスは、マルチキャスト・ブロードキャストサービスと呼ばれることもある。以下、本願発明においては、マルチキャストサービスと称する場合には、ブロードキャストサービスも含むものとする。
【０００３】
移動体パケット通信システムの１つであるＷｉＭＡＸシステムにおいても、ＷｉＭＡＸ  フォーラム（ＷｉＭＡＸの標準化団体）により、ＭＣＢＣＳ（ＭｕｌｔｉＣａｓｔ  ＢｒｏａｄＣａｓｔ  Ｓｅｒｖｉｃｅｓ）として、マルチキャストサービスの規格化が進んでいる。また、ＭＡＣ層以下の伝送方式のプロトコルは、ＩＥＥＥ８０２．１６ワーキンググループ（ＷＧ）において規格化されている。ＩＥＥＥ８０２．１６ＷＧにおいては、マルチキャストサービスは、ＭＢＳ（Ｍｕｌｔｉｃａｓｔ  Ｂｒｏａｄｃａｓｔ  Ｓｅｒｖｉｃｅ）と呼ばれる。
【０００４】
移動体パケット通信システムにおけるマルチキャストサービスは、基地局からマルチキャスト専用無線チャネルを使って送信されたデータを、複数の移動端末が受信することで同一コンテンツを複数の移動端末に同時に届けることができる。
【０００５】
はじめに、ＷｉＭＡＸシステムの構成を説明する。
図１４にＷｉＭＡＸシステム構成を示す。
ＷｉＭＡＸシステムは、移動端末（ＭＳ：Ｍｏｂｉｌｅ  Ｓｔａｔｉｏｎ）５０、基地局（ＢＳ：Ｂａｓｅ  Ｓｔａｔｉｏｎ）２００、アクセスサービスネットワークゲートウェイ（ＡＳＮ−ＧＷ：Ａｃｃｅｓｓ  Ｓｅｒｖｉｃｅ  Ｎｅｔｗｏｒｋ  −  Ｇａｔｅｗａｙ）３００、ＭＣＢＣＳサーバ（ＭＣＢＣＳ  Ｓｅｒｖｅｒ）４００から構成される。
ＭＣＢＣＳサーバ４００は、コネクティビティ  サービス  ネットワーク（ＣＳＮ：Ｃｏｎｎｅｃｔｉｖｉｔｙ  Ｓｅｒｖｉｃｅ  Ｎｅｔｗｏｒｋ）２０００と呼ばれるネットワーク内に配置され、マルチキャスト配信用のデータを格納している。
ＡＳＮ−ＧＷ３００は、ＢＳ管理、無線リソース管理、課金、認証処理などを行う装置である。ＡＳＮ−ＧＷには、そのＡＳＮ−ＧＷに接続可能なＢＳが複数登録されている。
コネクティビティサービスネットワークは、外部網への接続や、高レイヤの処理を行うネットワークである。
【０００６】
マルチキャストで配信するデータは、ＭＣＢＣＳサーバ４００から送信され、ＡＳＮ−ＧＷ３００を経由して、ＢＳ２００、２９０へと転送される。
【０００７】
図１５にＷｉＭＡＸシステムにおける通信フレームの構成を示す。
ＷｉＭＡＸシステムにおける通信フレームは、図１５に示すように、下り方向のユニキャストデータ通信用のダウンリンクユニキャストゾーン（ＤＬ  Ｕｃａｓｔ  Ｚｏｎｅ）９００３と、マルチキャストデータ通信用のＭＢＳゾーン９００２と、上り方向の通信用のアップリンクゾーン９００４を有する。ＢＳ２００は図１５のマルチキャスト専用チャネルであるＭＢＳゾーン９００２を使ってマルチキャストデータを送信する。ＢＳから送信された同じ通信フレームの同じＭＢＳゾーン９００２のデータを、複数のＭＳが受信することで、マルチキャストデータ配信を実現している。
【０００８】
ＷｉＭＡＸシステムにおけるマルチキャスト通信に関する技術が特許文献１に、移動通信システムにおいて、セル単位で地域情報を配信する技術について特許文献２に記載されている。
【先行技術文献】
【特許文献】
【０００９】
【特許文献１】特開２００８−９９２９１号公報
【特許文献２】特開２００４−３３６３１８号公報
【発明の概要】
【発明が解決しようとする課題】
【００１０】
上述したＷｉＭＡＸシステムにおけるマルチキャストデータ配信は、ネットワークトリガ（Ｎｅｔｗｏｒｋ  Ｔｒｉｇｇｅｒ）接続と呼ばれ、ＣＳＮ２０００側からＡＳＮ−ＧＷ３００に対して接続要求を行い、さらにＡＳＮ−ＧＷ３００からＢＳ２００に対して接続要求を行い通信チャネルを接続する。ＡＳＮ−ＧＷ３００は、ＣＳＮ２０００側からの接続要求９００を契機にＢＳ２００へ接続要求９１０を送信する。ＣＳＮ２０００側からＡＳＮ−ＧＷ３００への接続要求９００には、配信しようとするマルチキャストコンテンツデータのマルチキャストＩＰアドレスが含まれている。ＡＳＮ−ＧＷ３００は、このようにしてＣＳＮ２０００側から指示されたマルチキャストＩＰアドレスに対して、マルチキャストデータを受信することが可能になる。ＣＳＮ２０００側からの接続要求９００を受けたＡＳＮ−ＧＷ３００は、ＡＳＮ−ＧＷに事前に登録されている複数のＢＳに対して、マルチキャストＩＰアドレス情報を付加した接続要求９１０を送信する。
【００１１】
マルチキャスト配信データ９０００は、ＭＣＢＣＳサーバ４００より送信され、ＡＳＮ−ＧＷ３００を介して、ＢＳ２００へと送信される。ＢＳ２００は、ＡＳＮ−ＧＷ３００からの接続要求９１０に含まれるマルチキャストＩＰアドレスと一致するマルチキャストデータ９００１を受信して、図１５に示した通信フレームのＭＢＳゾーン９００２を使ってＭＳにマルチキャストデータ９００１を送信する。ＭＳ５０、５１は、図１５に示した通信フレームのＭＢＳゾーン９００２に含まれるデータを受信することでＣＳＮ２０００側から指示されたマルチキャストＩＰアドレスを持つマルチキャストデータを受信することができる。ＭＳには、ＭＢＳゾーンＩＤと呼ばれるＭＢＳゾーン９００２を識別する識別子が設定されており、これにより、ＭＳは、ＢＳから配信される通信フレームのＭＢＳゾーンに含まれるＭＢＳゾーンＩＤをみて、同じＩＤのデータを受信できる仕組みとなっている。
【００１２】
マルチキャストで配信するコンテンツとして考えられるものには、天気予報、災害情報、交通情報、広告、イベント情報など、地域性が高く、特定の地域に限定した配信を望むコンテンツが多い。そのため、配信対象を特定の地域に絞ってマルチキャストを行う仕組みが必要となる。しかし、背景技術の項で説明したＷｉＭＡＸシステムで規定されている方式では、ＢＳから配信される配信データを受信可能か否かを、データを受信した時点でＭＳが識別するための仕組み（ＭＢＳゾーンＩＤ）は存在する。しかし、マルチキャストデータの送信対象を特定の地域に絞る、その特定の地域だけにマルチキャストサービスを行うための仕組みを持っていない。データの配信地域を特定できないため、上述のＷｉＭＡＸシステムでマルチキャストサービスを行う場合には、送信の必要がない地域も含め広範囲の地域に設置されたＢＳからマルチキャストデータを配信する。そしてマルチキャストデータを受信した受信ユーザまたは移動端末により必要、不要の判断が行われる。
【００１３】
このことを、図１６の例を用いて具体的に説明する。
図１６は、あるＡＳＮ−ＧＷが管理する複数のＢＳと、それらのＢＳがカバーするエリアを示した図である。
図１６は、あるＡＳＮ−ＧＷが管理する複数のＢＳがカバーするエリアを示した図であり、ひとつのＢＳのカバーエリアをひとつの地域として示している。ここで例えば、あるコンテンツを、地域Ａ１００から地域Ｉ１０８までの網掛けで示した地域に配信を希望しているとする。前述のＷｉＭＡＸシステムでは、ＡＳＮ−ＧＷは、希望する配信地域とその地域に対応するＢＳの位置関係が解らないため、ＡＳＮ−ＧＷに事前に登録されているすべてのＢＳ（図１６の例では地域Ａ１００から地域Ｌ１１１）に対して接続するしかない。ＭＣＢＣＳサーバ４００からマルチキャスト配信データ９０００が送信されると、ＡＳＮ−ＧＷ３００を経由してＡＳＮ−ＧＷに事前に登録されているすべてのＢＳ（地域Ａ１００から地域Ｌ１１１）に転送される。そしてそれらのＢＳは、図１５で説明したＭＢＳゾーン９００２を使ってマルチキャストデータを配信する。前述のように、ここで配信したマルチキャストデータは、地域Ａ１００から地域Ｉ１０８までの網掛けで示した地域用のコンテンツであり、地域Ｊ１０９から地域Ｌ１１１のＭＳには必要のない内容かもしれない。このように、本来配信の必要がない地域Ｊ１０９、地域Ｋ１１０、地域Ｌ１１１にも、マルチキャストデータを配信してしまうと、これらの地域では無駄に無線領域を消費していることになる。
【００１４】
本発明は、上記課題を解決するためになされたもので、その目的は、ＷｉＭＡＸシステムにおいて、マルチキャストコンテンツを、配信を希望する地域に配信することができるようにすることを目的とする。
【課題を解決するための手段】
【００１５】
複数の基地局と、複数の基地局が接続可能な基地局として登録され該複数の無線基地局の管理を行う通信装置と、マルチキャストコンテンツが格納されたマルチキャストサーバと、マルチキャストサーバに格納されたマルチキャストコンテンツの配信制御を行う配信コントローラと、各装置の制御および障害処理を行うオペレーションセンタを有するマルチキャストシステムであって、配信コントローラは、基地局情報データベースと、地域情報データベースと、マルチキャストコンテンツ情報テーブルを有し、あらかじめ基地局情報データベースに通信装置に登録されている基地局の位置情報を、地域情報データベースに基地局の位置情報に基づいて地域と該地域に位置する基地局を対応付けて格納しておき、マルチキャストコンテンツ情報テーブルは、マルチキャストコンテンツ毎に、配信時間情報とともに配信地域情報を含むものであり、配信コントローラは、コンテンツ情報テーブルのマルチキャストコンテンツの配信時刻情報と配信地域情報に基づき、さらに地域情報データベースを参照することで、配信時刻に配信地域に位置する基地局に、マルチキャストコンテンツを配信するように制御するようにしたものである。
【発明の効果】
【００１６】
本発明によれば、ＷｉＭＡＸシステムにおいて、マルチキャストコンテンツを、そのコンテンツ配信を望む特定地域に配信することができる。マルチキャストコンテンツの配信が必要な地域の無線チャネルを使い、不要な地域の無線チャネルを使わないため、無線資源の節約につながるという効果も期待できる。
また、余分な無線チャネルを使用しないことから、その空いた無線チャネルには、他のサービスチャネル（ユニキャストサービス）などを割当てることができ、効率の良い無線スケジュールが可能である。
【図面の簡単な説明】
【００１７】
【図１】本発明の一実施例におけるＷｉＭＡＸシステム構成を示した図である。
【図２】本発明の一実施例における配信コントローラの構成を示した図である。
【図３】本発明の一実施例におけるＢＳの構成を示した図である。
【図４】本発明の一実施例における接続シーケンス図である。
【図５】本発明の一実施例におけるＢＳ情報データベース更新処理のシーケンス図である。
【図６】本発明の一実施例における番組テーブルを示した図である。
【図７】本発明の一実施例における配信テーブルを示した図である。
【図８】本発明の一実施例におけるＢＳ情報データベースの構成を示す図である。
【図９】本発明の一実施例における地域情報データベースを示した図である。
【図１０】本発明の一実施例におけるＢＳ情報データの送信処理のフロー図である
【図１１】本発明の一実施例における接続処理のフロー図である。
【図１２】本発明の一実施例におけるＢＳ情報データベースの構成を示す図である。
【図１３】本発明の一実施例におけるＢＳ情報データベースの構成を示す図である。
【図１４】ＷｉＭＡＸシステムの構成を示す図である。
【図１５】ＷｉＭＡＸシステムにおける通信フレームの構成を示す図である。
【図１６】マルチキャスト・ブロードキャストサービスの配信地域を示す図である。
【発明を実施するための形態】
【００１８】
以下、ＷｉＭＡＸシステムにおける本発明のマルチキャストサービスの実施形態について、複数の実施例を用いて説明する。
【実施例１】
【００１９】
図１は、本発明の一実施例におけるＷｉＭＡＸシステムの構成を示した図である。
図１に示すように、本実施例におけるＷｉＭＡＸシステムは、ＭＳ５０、ＢＳ２００、ＡＳＮ−ＧＷ３００、配信コントローラ５００、ＭＣＢＣＳサーバ４００から構成されている。また、これらの装置の操作、障害通知を受け付けるオペレーションセンタ６００がある。
【００２０】
配信コントローラ５００は、番組テーブル、ＢＳ情報データベース、地域情報データベース、配信データベースのデータベース５０２を備える。本実施例のＷｉＭＡＸマルチキャストシステムは、これらのデータベースを備えていることにより、配信地域を指定すると、その指定地域に対応するＢＳを検索することができる。配信コントローラ５００は、単体の装置として存在しても良いが、ＡＳＮ−ＧＷ３００、またはＭＣＢＣＳサーバ４００に実装してその機能を実現してもよい。配信コントローラ５００を単体装置とする場合は、配信コントローラ５００とＡＳＮ−ＧＷ３００、配信コントローラ４００とＭＣＢＣＳサーバ５００間を接続（３７０、４７０）する。また、オペレーションセンタ６００を経由して配信コントローラ５００とＢＳ２００間も通信（２８０，５８０）可能とする。
【００２１】
図２は、配信コントローラの構成を説明する図である。
配信コントローラ５００は、オペレータセンタ６００との通信を行う位置情報収集ＩＦ５０４、ＡＳＮ−ＧＷ３００との通信を行うＧＷＩＦ５０５、ＭＣＢＣＳサーバ４００との通信を行うサーバＩＦ５０６、サービスプロバイダ７００からの入力を受け付けるユーザＩＦ５０７、地図情報を管理または地図ＡＳＰ（Ａｐｐｌｉｃａｔｉｏｎ  Ｓｅｒｖｉｃｅ  Ｐｒｏｖｉｄｅｒ）５０９とのインタフェースを持つ地図管理部５０３、番組表や地域特定配信に必要なデータベースを格納するデータベース部５０２、各部を制御する制御部５１０から構成される。各機能部は互いに通信できるよう接続バス５０８で接続されている。
【００２２】
図３は、基地局の構成を説明する図である。
基地局２００は、受信アンテナ２０１、送信アンテナ２０２、無線受信部２０３、無線送信部２０４、アナログ/デジタルの変換部であるＡ/Ｄ・Ｄ/Ａ２０５、変調・復調のベースバンド処理を行うベースバンド（ＢＢ）部２０６、バックホール側への接続インタフェースを持つＩＦ部２１１、ＧＰＳ（Ｇｌｏｂａｌ  Ｐｏｓｉｔｉｏｎｉｎｇ  Ｓｙｓｔｅｍ）電波を受信するＧＰＳ受信部２０８、各機能部を制御する制御部２０９から構成される。これらの各部は装置内バス２１０によって接続されている。ＧＰＳ受信部２０８は、クロック同期を行うために備えているが、ＢＳは、このＧＰＳ受信部２０８を用いて緯度・経度を取得する。取得した緯度・経度の情報は制御部２０９内のメモリに格納されている。また、バックホールとは、ＡＳＮ−ＧＷ３００、オペレーションセンタ６００へと接続する回線のことを指す。
【００２３】
次に、配信コントローラのＢＳ情報データデータベースで管理しているＢＳ情報データ５０２２について説明する。
図８は、ＢＳ情報データベースの構成を示す図である。
配信コントローラが備えているＢＳ情報データベースには、各ＢＳについて、ＢＳのＩＤと対応付けて、ＢＳのＩＰアドレス、各ＢＳがＧＰＳにより求めて記憶している緯度・経度の情報をオペレーションセンタ６００経由で取得して記憶している。緯度・経度情報のＢＳから配信コントローラ５００への通知、配信コントローラ５００におけるＢＳ情報データ５０２２の作成、及び更新は、マルチキャストサービスの開始要求とは関係なく、ＢＳの新規設置時に、または定期的にオフラインの動作として行われる。
【００２４】
図１０は、ＢＳからの、ＢＳ情報データの送信処理のフローを説明する図である。
ここでは、ＢＳ自律でＢＳ情報を配信コントローラに通知する場合のフローを示している。
まず、電源が投入されると、ＢＳは、ステップ８２０１で、ＢＳが新規設置であるかの判断を行う。新規設置と判断された場合は、ステップ８２０２に進む。ＢＳ２００は、ＧＰＳ受信部２０８によりＢＳ２００が設定されている場所の緯度・経度を取得して、制御部２０９によってＢＳ内のメモリに取得した緯度・経度を格納する。次にステップ８２０３で、格納した緯度・経度をＢＳＩＤとともにＩＦ部２０７を通してオペレーションセンタ６００へと送信する。
【００２５】
一方、オペレーションセンタ６００は、ＢＳ２００より緯度・経度、ＢＳＩＤの情報を受信すると配信コントローラ５００に対してＢＳのＩＰアドレスを付加して転送する。配信コントローラ５００は、オペレーションセンタ６００経由でＢＳより受信した緯度・経度、ＢＳＩＤ、さらにオペレーションセンタにおいて付加されて通知されたＢＳのＩＰアドレスを受信し、これらの情報をＢＳＩＤに対応付けてＢＳ情報データベース５０２２に追加する。
【００２６】
緯度・経度情報は、オペレーションセンタ６００経由で配信コントローラ５００に送信する以外に、直接ＢＳ２００から配信コントローラ５００へ送信してもよい。
また、ＧＳＰ受信部２０８を搭載していないＢＳの場合は、ＢＳ設置の際に外部ＧＰＳ受信機を使ってＢＳ設置場所の緯度・経度を測定して、ＢＳの設置パラメータとしてＢＳ内部に設定しておき、以降は図１０に示したフローと同様に、オペレーションセンタ６００に送信してもよい。
【００２７】
図５に、配信コントローラが、ＢＳから緯度・経度情報を取得する方法として、別の方法を示す。
図５においては、ＢＳの緯度・経度情報を取得する別の方法として、配信コントローラ５００からオペレーションセンタ６００を介して情報取得要求９３０をＢＳ２００に送信する。ＢＳ２００は、情報取得要求９３１の受信を契機に、緯度・経度、ＢＳＩＤをオペレーションセンタ６００を介して配信コントローラ５００に送信する。
図１０では、ＢＳの新規設置か否かの判定を行っているが、ＢＳ２００が移設２５１する際にも、新規設置２５０と同様に緯度・経度、ＢＳＩＤを送信する。更にオペレーションセンタ６００によりあるＢＳを運用停止２５２にした場合には、オペレーションセンタ６００より配信コントローラ５００に対して運用を停止したＢＳのＢＳＩＤの情報削除要求を行う。配信コントローラ５００は、この情報削除要求を受けて、ＢＳ情報データベース５０２２から、運用停止中のＢＳ情報を削除すれば、無駄な接続要求送信を防ぐことができる。
【００２８】
図１３に、ＢＳ情報データベースの別の構成例を示す。
図１３では、ＢＳ情報データベース５０２５に、緯度・経度に加えて、セクタ数、セル半径の情報を加えている。このようにセクタ数、セル半径の情報もＢＳ情報データベースに持てば、この情報を利用して、緯度・経度の補正を行うことができ、より正確にＢＳと地域との対応付けを行うことができる。
ＢＳ情報データベース５０２２は、ＢＳ２００の設備工事や運用状況によって、必要に応じて作成・更新されるものである。
【００２９】
次に地域情報データベース５０２３の作成・更新について説明する。
図９は、地域情報データベースの構成例を示す図である。
地域情報データベースは、地域情報（地域名）とその地域にあるＢＳ情報（ＢＳＩＤ）とを対応づけたものである。
【００３０】
地域情報データベース５０２３は、事前の配信地域入力、又はサービスプロバイダ等からの配信データの入力７００によって作成・更新される。情報の入力、更新は、配信コントローラのユーザＩＦ５０７を通してサービスプロバイダ等の運用ユーザより行われる。
運用ユーザより情先ず、入力された配信地域が地域情報データベースに登録済みか否かを確認する。登録されていないと判断した場合は、配信地域の緯度・経度に入るＢＳ検索する。ＢＳの検索には、先ず、配信地域の緯度・経度を検索する。配信地域の緯度・経度を知る手段としては、地図管理部５０３に地図情報を入れて検索する手段と外部地図ＡＳＰインタフェース５０９を使って取得する手段がある。次に図８のＢＳ情報データベース５０２２を使って地図管理部５０３によって取得した配信地域の緯度・経度とＢＳ情報データベース５０２２の緯度・経度を比較して、配信地域の緯度・経度に範囲に入るＢＳＩＤを検索する。ＢＳＩＤとは、ＢＳを識別するＩＤである。ＢＳＩＤの検索が完了すると、地域情報データベース５０２３に検索の結果配信地域の範囲に入ると判断されたＢＳを追加する。例えば、配信地域＝Ｔｏｋｙｏに入るＢＳがＢＳＩＤ＝０００００００１、ＢＳＩＤ＝１０００００２５との検索結果の場合、地域情報データベースのＮｏ．＝１の欄に追加する。
また、ＢＳＩＤを検索する際に図１３のＢＳ情報データベース５０２５を用いた場合は、緯度・経度に加えてセクタ数、セル半径の情報があり、セル半径を考慮した配信エリアの緯度・経度の補正を行うことにより、より正確な配信地域に含まれるＢＳＩＤの検索も可能である。
【００３１】
また、図９では地域情報（地域名）の例として、地名を挙げているが、運用ユーザは、このような地名に対応するエリア以外の地域情報を設定してもよい。たとえば、ピンポイント的に、会社や、店舗をカバーするＢＳ情報を対応づけてもよいし、広がりを持ったエリアを構成するものではなく、駅の集合や、支店の集合、学校の集合など、点在するＢＳの集合として地域情報を設定することも考えられる。
【００３２】
図１に戻り、配信コントローラ５００は、配信データ７００の入力が行われると番組テーブル５０２０と配信テーブル５０２１を作成・更新する。
【００３３】
図６に番組テーブルの構成を示す。
番組テーブル５０２０とは、運用ユーザが確認するための番組表であり、配信日、配信時間、配信地域、データレートから構成され、ユーザＩＦ５０７から入力された情報を格納している。
【００３４】
図７は、配信テーブルの構成を示す図である。
配信テーブル５０２１は、毎日のマルチキャスト配信スケジュールが入っているテーブルでありＷｉＭＡＸマルチキャストシステムの接続・切断のスケジュールとして参照される。図７に示すように、配信テーブルは、配信開始時刻、終了時刻、マルチキャストＩＰアドレス、ＢＳ ＩＤからなる。マルチキャストＩＰアドレスとは、配信データのアドレスであり、配信テーブルに新しい番組が追加される際に配信コントローラにより割当てられる。
【００３５】
具体的な例をあげて説明する。
配信コントローラ５００は、図１の配信データ７００  配信地域＝Ｔｏｋｙｏ、配信時間＝７：００−８：００、配信日＝毎日、配信レート＝１００ｋｂｐｓの入力を受け付けると番組テーブル５０２０のＮｏ．＝１の欄に受け付けた配信データ７００を追加する。次に配信テーブル５０２１のＮｏ．１に必要な情報が追加され、その際に、マルチキャストＩＰアドレスとして、２２４．１．０．１を割当てる。割当てが終わると割当てたマルチキャストＩＰアドレスをサーバＩＦ５０６を介してコンテンツサーバ４００に通知する。このマルチキャストＩＰアドレスは、サービスプロバイダ７００、もしくはＭＣＢＣＳサーバ４００が割当てることも可能であり、その場合には配信コントローラに対して通知される。上述の地域情報データベース、番組テーブル、配信テーブルは、運用ユーザによる入力によって作成・更新される。入力するタイミングは、配信時間の以前であればいつでもよい。
【００３６】
次にマルチキャストデータ配信を行う場合の通信回線の接続処理について説明する。
図１１は、マルチキャストデータ配信を行う場合の通信回線の接続処理のフローを説明する図である。
配信コントローラは、配信テーブル５０２１をチェックして、配信時間が近づいている番組がないか判断する。判断の結果、ある番組が開始時刻の数分前と判断されるとステップ８１０２に進む。開始時刻の数分前に実施する理由は、配信開始迄にＣＳＮ２０００とＡＳＮ−ＧＷ３００、ＡＳＮ−ＧＷ３００と複数ＢＳ間のコネクション確立を事前に完了させるためである。
【００３７】
ステップ８１０２で、配信コントローラは、配信テーブル５０２１の配信時刻に対応する配信データのマルチキャストＩＰアドレス、ＢＳＩＤを取得する。
情報取得が完了するとステップ８１０３に進み、配信コントローラ５００からＡＳＮ−ＧＷ３００に対して検索で取得したマルチキャストＩＰアドレス、ＢＳＩＤを付与した接続要求９００を送信する。
例えば、朝７：００の配信データに対しては、開始前にマルチキャストＩＰアドレス＝２４４．１．０．１、ＢＳ  ＩＤ＝０００００００１、１０００００２５を取得してＡＳＮ−ＧＷ３００に接続要求９００を送信する。
【００３８】
ステップ８１０３が完了するとステップ８１０４に進む。ＡＳＮ−ＧＷ３００は、配信コントローラ５００から接続要求９００を受信すると、受信したＢＳＩＤに対応するＢＳ  ＩＰアドレスを検索して、該ＢＳ  ＩＰアドレスに対して接続要求９１０を送信する（図４）。接続要求９１０には、マルチキャストＩＰアドレスを付与する。また、ＡＳＮ−ＧＷ３００とＢＳ２００間の通信には、ＭＣＢＣＳサーバ４００から送信された配信データを、ＡＳＮ−ＧＷ３００で割当てたマルチキャストＩＰアドレスを使ってカプセル化して、ＡＳＮ−ＧＷ３００とＢＳ２００の通信として使うことも可能である。ＢＳ２００は、ＡＳＮ−ＧＷ３００から接続要求９００を受信すると接続応答９０１をＡＳＮ−ＧＷ３００へと応答して、マルチキャストサービス用の接続が確立する。
【００３９】
ステップ８１０５で配信テーブル５０２１の配信開始時間になるとステップ８１０６に進み、ＭＣＢＣＳサーバが、その配信時刻に対応したマルチキャストＩＰアドレスの配信データ９０００を送信するよう制御する。
ＡＳＮ−ＧＷ３００は、配信コントローラ５００よりマルチキャストＩＰアドレスを通知されているため、マルチキャストＩＰアドレスと一致した配信データ９０００を受信することが可能となる。配信データを受信後、そのデータをＢＳへと転送する。ＢＳ２００は、ＡＳＮ−ＧＷ３００の接続要求９００に付与されていたマルチキャストＩＰアドレスと一致した配信データ９００１を受信することができる。配信データ９００１を受信したＢＳ２００は、ＭＢＳゾーン９００２を使ってＭＳに配信し、ＭＳは、ＢＳから配信された配信データを受信する。
【００４０】
このように、配信コントローラ５００により、地域に設置されたＢＳを特定して、その特定したＢＳに対してのみ接続を行うことで、ＭＣＢＣＳサーバから送信された配信データを特定ＢＳにのみ転送することができ、特定ＢＳから配信データを配信することで、希望地域に限定した配信サービスが可能となる。
【実施例２】
【００４１】
実施例１は、地域に配信する場合の実施例であるが、ＷｉＭＡＸシステムでは、屋内に設置されたＢＳも存在する。この場合の希望配信地域には、屋内の階数毎に異なる配信コンテンツを配信したいというニーズがある。実施例２では、配信地域に高さを加え、屋内階数をも限定した配信システムを説明する。
【００４２】
図１２は、本発明の別の実施例におけるＷｉＭＡＸシステムに用いるＢＳ情報データベースの構成を示す図である。
図８で説明したＢＳ情報データベース５０２２に高度情報が追加されていることが特徴である。
【００４３】
実施例２においても、ＷｉＭＡＸシステム構成自体は、実施例１と同様である。
ＢＳ２００は、ＧＰＳ受信部２０８から受信できる緯度・経度に加えて高度情報も受信する。実施例１と同様のフローでＢＳ２００より、緯度・経度、ＢＳＩＤに加え高度情報をオペレーションセンタ６００を通して配信コントローラ５００へと転送する。
配信コントローラ５００は、オペレーションセンタ６００から受信したＢＳに関する情報を図１２のＢＳ情報データベース５０２４へと格納する。
次に地域情報データベース５０２３の更新には、実施例１の希望配信地域の緯度・経度の範囲に入るＢＳＩＤをＢＳ情報データベース５０２４を使って検索、更に希望配信地域の高度（建物の階数から算出）範囲に入るＢＳＩＤを絞り込み、緯度・経度・高度の３次元空間に一致するＢＳＩＤを検索して、地域情報データベース５０２３に追加・更新する。その他は、実施例１と同様の構成によって、ＡＳＮ−ＧＷ３００とＢＳ２００が接続され、ＭＣＢＣＳ  Ｓｅｒｖｅｒ４００から送信された配信データがＡＳＮ−ＧＷ３００、ＢＳ２００を通り配信される。
【００４４】
接続されたＢＳは、ビル階数毎に設置されるＢＳをも区別した接続となっているため、ビル階数毎のコンテンツ配信が可能となる。
【００４５】
さらに、本発明は、高さも考慮することができるため、屋内の各階に設置された屋内設置型のＢＳ毎に異なるマルチキャストサービスを提供できるため、限られたマルチキャスト用無線帯域もより効率的に使うことができる。
【００４６】
図１のシステム構成図には、ＡＳＮ−ＧＷ、ＭＣＢＣＳサーバをひとつずつしか図示していないが、複数であっても構わない。その場合、配信コントローラは、ＡＳＮ−ＧＷ毎にＢＳ情報データベース作成して管理することになる。その他の構成、処理フローは、上述の実施例と同様である。
【符号の説明】
【００４７】
５０    ＭＳ（移動端末）
１００  配信セル
２００  ＢＳ（基地局）
３００  ＡＳＮ−ＧＷ
４００  ＭＣＢＣＳサーバ
５００  配信コントローラ
６００  オペレーションセンタ
５０２０  番組テーブル
５０２１  配信テーブル
５０２２  ＢＳ情報データベース
５０２３  地域情報データベース
５０２４  ＢＳ情報データベース
９００２  ＷｉＭＡＸ無線インタフェースのＭＢＳゾーン
【図１】
2010246062.tif 000003
【図２】
2010246062.tif 000004
【図３】
2010246062.tif 000005
【図４】
2010246062.tif 000006
【図５】
2010246062.tif 000007
【図６】
2010246062.tif 000008
【図７】
2010246062.tif 000009
【図８】
2010246062.tif 000010
【図９】
2010246062.tif 000011
【図１０】
2010246062.tif 000012
【図１１】
2010246062.tif 000013
【図１２】
2010246062.tif 000014
【図１３】
2010246062.tif 000015
【図１４】
2010246062.tif 000016
【図１５】
2010246062.tif 000017
【図１６】
2010246062.tif 000018